(57)【要約】【課題】キャビネット等を運搬・移動するとき、内部の棚板等がキャビネット等を傾けても外れないように仮止め状に確実に固定できるようにする。【解決手段】下段位の棚板Ｐ１上に載置する下端支持部２に設けた支持筒１２と、天板Ｐ３あるいは上段位の棚板Ｐ２下面に当接する上端支持部３に設けた支持シャフト１３と、支持筒１２内部に上下スライド自在に挿入した支持シャフト１３を支持筒１２上に突出させる拡開傾向のバネ１４から成る伸縮機構１１とを備える。下端支持部２、上端支持部３は平面円形状に形成し、支持筒１２は下端支持部２に、支持シャフト１３は上端支持部３に球対偶構造でそれぞれ連結することで揺動自在、回動自在に連結して成る。下端支持部２、上端支持部３それぞれには、支持筒１２、支持シャフト１３を揺動倒伏したときの倒伏状態を保持する支持筒保持手段２８、支持シャフト保持手段２９を設ける。【選択図】図９
2015139513.tif 000002
【特許請求の範囲】
【請求項１】
天板、棚板の上下段相互間で突っ張り配置される棚板固定装置であって、下段位の棚板上面に下端が突き当てられる支持筒と、天板あるいは上段位の棚板下面に上端が突き当てられる支持シャフトと、支持筒上部に上下スライド自在に挿入した支持シャフトを支持筒上方に突出させるよう支持筒内に配装した拡開傾向のバネから成る伸縮機構とを備えたことを特徴とする棚板固定装置。
【請求項２】
天板、棚板の上下段相互間で突っ張り配置される棚板固定装置であって、下段位の棚板上に載置される下端支持部と、下端支持部の上部に立脚固定した支持筒と、天板あるいは上段位の棚板下面に当接される上端支持部と、上端支持部の下部に垂設固定した支持シャフトと、支持筒上部に上下スライド自在に挿入した支持シャフトを支持筒上方に突出させるよう支持筒内に配装した拡開傾向のバネから成る伸縮機構とを備えたことを特徴とする棚板固定装置。
【請求項３】
下端支持部、上端支持部それぞれは平面円形状に形成してある請求項２記載の棚板固定装置。
【請求項４】
支持筒は下端支持部に、支持シャフトは上端支持部にそれぞれ揺動自在に連結して成る請求項２または３記載の棚板固定装置。
【請求項５】
支持筒は下端支持部に、支持シャフトは上端支持部にそれぞれ回動自在に連結して成る請求項２乃至４記載の棚板固定装置。
【請求項６】
支持筒は下端支持部に、支持シャフトは上端支持部にそれぞれ球対偶構造で連結して成る請求項２乃至５のいずれか記載の棚板固定装置。
【請求項７】
下端支持部には、この下端支持部に支持筒を揺動倒伏したときの倒伏状態を保持する支持筒保持手段を、上端支持部には、この上端支持部に支持シャフトを揺動倒伏したときの倒伏状態を保持する支持シャフト保持手段をそれぞれ設ける請求項２乃至６のいずれか記載の棚板固定装置。
【請求項８】
支持シャフトは、着脱自在に連結される適数の長さ調整シャフトを備える請求項１乃至７のいずれか記載の棚板固定装置。
【請求項９】
伸縮機構は、支持筒の基端側に上下方向に沿って穿設されたスリット部に、支持シャフトの下端側に固設された操作ハンドルをスリット部に沿って上下動自在に挿通させておき、操作ハンドルによって支持シャフトの上下動を支持筒の表側から自在に操作可能として成る請求項１乃至８のいずれか記載の棚板固定装置。
【請求項１０】
スリット部は基端側から略Ｕ字形スリット状に折返し形成したストッパ部に連通され、支持筒内部にて支持シャフトが拡開傾向のバネに抗して最下端位置まで移動された際に、操作ハンドルをストッパ部側に係架させることで支持シャフトを固定可能にした請求項９記載の棚板固定装置。
【請求項１１】
上端支持部の上面には、上段位の天板あるいは棚板下面に設けてある補強突条部に嵌合可能とした凹凸状の嵌合部あるいは凹部状の回避溝部を設けて成る請求項２乃至１０のいずれか記載の棚板固定装置。
【請求項１２】
天板、棚板の上下段相互間で突っ張り配置される棚板固定装置であって、下段位の棚板上に載置される下端支持部と、下端支持部の上部に立脚固定した支持筒と、天板あるいは上段位の棚板下面に当接される上端支持部と、上端支持部の下部に垂設固定した支持シャフトと、支持筒上部に上下スライド自在に挿入した支持シャフトを支持筒上方に突出させるよう支持筒内に配装した拡開傾向のバネから成る伸縮機構とを備え、支持筒は下端支持部に、支持シャフトは上端支持部にそれぞれ揺動自在、回動自在に連結して成り、下端支持部には、この下端支持部に支持筒を揺動倒伏したときの倒伏状態を保持する支持筒保持手段を、上端支持部には、この上端支持部に支持シャフトを揺動倒伏したときの倒伏状態を保持する支持シャフト保持手段をそれぞれ設けたことを特徴とする棚板固定装置。
【請求項１３】
天板、棚板の上下段相互間で突っ張り配置される棚板固定装置であって、下段位の棚板上に載置される下端支持部と、下端支持部の上部に立脚固定した支持筒と、天板あるいは上段位の棚板下面に当接される上端支持部と、上端支持部の下部に垂設固定した支持シャフトと、支持筒上部に上下スライド自在に挿入した支持シャフトを支持筒上方に突出させるよう支持筒内に配装した拡開傾向のバネから成る伸縮機構とを備え、伸縮機構は、支持筒の基端側に上下方向に沿って穿設されたスリット部に、支持シャフトの下端側に固設された操作ハンドルをスリット部に沿って上下動自在に挿通させておき、操作ハンドルによって支持シャフトの上下動を表側から自在に操作可能とし、スリット部は基端側から略Ｕ字形スリット状に折返し形成したストッパ部に連通され、支持筒内部にて支持シャフトが拡開傾向のバネに抗して最下端位置まで移動された際に、操作ハンドルをストッパ部側に係架させることで支持シャフトを固定可能にしたことを特徴とする棚板固定装置。
【発明の詳細な説明】
【技術分野】
【０００１】
本発明は、例えば事務所等の移転時において、棚高さ調整式の例えばブックシェル、各種キャビネットその他における棚高さ調整可能としてある適数の棚板を備えた種々の家具類等の運搬・移動時に、天板、上下段の棚板相互間に突っ張り状態となして嵌め入れておくことで、棚板相互を弾撥的に支持固定して棚板が外れるのを防止し、家具類等の移動作業を速やかに実施できるようにする棚板固定装置に関する。
【背景技術】
【０００２】
従来から、キャビネット等の高さ調整式の棚板は、例えばキャビネットの左右内側面に設けられている前後一対の縦長な棚支持柱に細かい間隔で配列された係止孔への挿入によって係止された例えばピン・ダボ状もしくはＬ字片状等の引っ掛け具の上に単に載せられているのが一般的である。これは、引っ掛け具の係止孔への取り付け位置の高さを適宜変更させることで、本、書類その他の収納物の高さに応じて、位置決めセットする上下段の棚板相互の間隔高さを調整可能とするためである。このようなキャビネットを移転その他のために運搬・移動する際にそのまま傾けてしまうと、引っ掛け具から棚板が外れ、また引っ掛け具も外れてしまう。これを防止するため、キャビネットの運搬・移動時には、例えば棚板および引っ掛け具を予め外して纏めておいたり、テープ等の貼着でキャビネット自体に仮止めしたりしている。
【０００３】
すなわち、キャビネットの運搬・移動時に、棚板および引っ掛け具を予め外しておく場合には、移動先でキャビネットを設置した後、収納物の高さに応じて棚板相互の高さを再度位置決めして、引っ掛け具を係止孔に再度引っ掛け支持しなければならず作業は極めて面倒である。しかも運搬・移動時には、外した棚板を重ねて纏めておく必要があり、引っ掛け具も紛失しないようにしなければならないから手間がかかる。
【０００４】
また、キャビネットの運搬・移動時に、棚板および引っ掛け具を外さずに、棚板が引っ掛け具によって取り付けられているままの状態で例えばキャビネット内壁と棚板とにかけてテープを貼着し止めておくこともある。しかしこのような場合でも、移動先においてテープを剥がす必要があるから作業は極めて面倒であり、しかも剥がされたテープは廃材となってしまい、資源的にも無駄である。
【０００５】
このような面倒な作業を解消すべく、例えば特許文献１に開示されているように、棚板を引っ掛け具上に載せた状態のままで当該棚板を固定できるようにした棚板仮止め具が提案されている。この棚板仮止め具は、連結部を介して上下に大きさの異なる２本の弾性を有する脚片を略八字型に配し、連結部の片面には、キャビネットの左右内側面の係止孔へ挿入するための挿入用突起を設けて成り、引っ掛け具上に載せた棚板の上面を脚片の弾撥力によって保持すべく挿入用突起を直上の係止孔へ挿入するものとしてある。
【０００６】
また、特許文献２および特許文献３に開示されているように、キャビネット等の家具の棚板をキャビネット本体の地板上に重ねて載置し、これらを動かないように仮止め具にて棚板を家具本体に仮固定する家具における棚板の仮止め具が提案されている。この仮止め具は、弾性を有する素材で断面Ｕ字状又はコ字状若しくは略Ｖ字状に形成されていて、仮止め具の両側板の先端に形成した外向きの係止爪を家具本体における棚板支持用の係止孔に、両側板をその間隔が狭まるように弾性変形させた状態で係合することで棚板の側縁部上面に接当して固定するとしている。
【０００７】
また、特許文献４に開示されているように、棚板支持用の係止孔に嵌入したダボによって、キャビネット内の底板上に載置した複数の棚板を支持する棚板固定構造が提案されている。この棚板固定構造は、底板上に載置した複数の棚板よりも上方の係止孔に嵌入する係止片を用いて側壁に接して配される板状の基部と、この基部の下端で底板と平行にのびる張出し片とを有する仮止め金具の当該張出し片を棚板上面に近接保持させるものとなっている。
【先行技術文献】
【特許文献】
【０００８】
【特許文献１】実開昭６２−１０７７４２号公報
【特許文献２】実開平５−９３２８２号公報
【特許文献３】実開平５−９３２８３号公報
【特許文献４】実開平７−２４１４４号公報
【発明の概要】
【発明が解決しようとする課題】
【０００９】
しかしながら、特許文献１の場合においては、引っ掛け具上に載せた棚板の上面を脚片の弾撥力によって保持すべく、その作用支点となる挿入用突起が上方の係止孔へ挿入されているだけであるので、キャビネットの運搬・移動時の衝撃で挿入用突起が係止孔から離脱する虞があり、支持機能が十分に果たせない。
【００１０】
また、特許文献２乃至特許文献４の場合においては、複数の棚板をキャビネットの地板・底板上に重ねて載置しておき、上方の係止片に取り付けられた仮止め具・仮止め金具によって地板・底板上の複数の棚板を支持するとする。そのため、移動先で仮止め具・仮止め金具と共に複数の棚板を取り外し、これら棚板の高さを再度位置決めして、引っ掛け具を係止孔に再度引っ掛け支持しなければならず、再度の高さ調整によるセット支持が必要であるから面倒である。
【００１１】
そこで、本発明は叙上のような従来存した諸事情に鑑み創案されたもので、棚高さ調整可能なキャビネットの如き複数の棚板を備えた棚装置において、移動先で棚板を再度セットする必要がなく、棚板をキャビネットの引っ掛け具上に載せた状態のままで当該棚板を簡単、迅速且つ確実に固定でき、移動・運搬時に傾けても外れることがなく、しかも移動先でのキャビネット等の据付設置後での取外しも簡単で、所定の収納物の収納整理を直ちに実施でき、また再使用も可能で資源的にも無駄がないものとした棚板固定装置を提供することを目的とする。
【課題を解決するための手段】
【００１２】
上述した課題を解決するために、本発明にあっては、後述する実施の形態における符号を付記して説明すると、天板Ｐ３、棚板Ｐの上下段相互間で突っ張り配置される棚板固定装置であって、下段位の棚板Ｐ１上面に下端が突き当てられる支持筒１２と、天板Ｐ３あるいは上段位の棚板Ｐ２下面に上端が突き当てられる支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたことを特徴とする。
また、天板Ｐ３、棚板Ｐの上下段相互間で突っ張り配置される棚板固定装置であって、下段位の棚板Ｐ１上に載置される下端支持部２と、下端支持部２の上部に立脚状に連結した支持筒１２と、天板Ｐ３あるいは上段位の棚板Ｐ２下面に当接される上端支持部３と、上端支持部３の下部に垂設状に連結した支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたことを特徴とする。
下端支持部２、上端支持部３は平面円形状に形成することができる。
支持筒１２は下端支持部２に、支持シャフト１３は上端支持部３にそれぞれ揺動自在に連結して成るものとしたり、また同様にそれぞれ回動自在に連結して成るものとしたりでき、揺動自在、回転自在とするには例えば球対偶構造で連結するものとしてある。
下端支持部２には、この下端支持部２に支持筒１２を揺動倒伏したときの倒伏状態を保持する支持筒保持手段２８を、上端支持部３には、この上端支持部３に支持シャフト１３を揺動倒伏したときの倒伏状態を保持する支持シャフト保持手段２９をそれぞれ設けることができる。
支持シャフト１３は、着脱自在に連結される適数の長さ調整シャフト３０を備えることができる。
伸縮機構１１は、支持筒１２の基端側に上下方向に沿って穿設されたスリット部１５に、支持シャフト１３の下端側に固設された操作ハンドル１６をスリット部１５に沿って上下動自在に挿通させておき、操作ハンドル１６によって支持シャフト１３の上下動を支持筒１２の表側から自在に操作可能として成ることができる。
スリット部１５は基端側から略Ｕ字形スリット状に折返し形成したストッパ部１７に連通され、支持筒１２内部にて支持シャフト１３が拡開傾向のバネ１４に抗して最下端位置まで移動された際に、操作ハンドル１６をストッパ部１７側に係架させることで支持シャフト１３を固定可能にしたものとすることができる。
上端支持部３の上面には、棚板Ｐ下面に設けてある補強突条部Ｑに嵌合可能とした凹凸状の嵌合部６あるいは凹部状の回避溝部４１を設けて成るものとできる。
【００１３】
以上のように構成された本発明に係る棚板固定装置にあって、支持筒１２内部に挿入されている支持シャフト１３は、支持筒１２内部における伸縮機構１１のバネ１４の弾撥力によって支持シャフト１３を上方へ突出状に付勢させる。これにより、天板Ｐ３、上下段の棚板Ｐ１，Ｐ２相互間で拡開傾向の弾撥的な突っ張り作用で棚板Ｐを支持固定させる。また、下段位の棚板Ｐ１上に配した下端支持部２、天板Ｐ３あるいは上段位の棚板Ｐ２下に配した上端支持部３によって安定的に当接した状態で、天板Ｐ３、上下段の棚板Ｐ１，Ｐ２相互を弾撥的に支持固定させる。
支持筒１２に連結される下端支持部２、支持シャフト１３に連結される上端支持部３それぞれは揺動自在であることで、不使用時では倒伏状態とすることで全体をコンパクトに纏めさせ、また回動自在であることで、天板Ｐ３、上下段の棚板Ｐ１，Ｐ２相互間での配置、取り外し時にこれらに対して支持筒１２、支持シャフト１３等を傾斜可能にさせ、当接、抜脱作業を容易にさせる。
支持筒保持手段２８、支持シャフト保持手段２９は、支持筒１２に対し揺動倒伏させた下端支持部２、及び支持シャフト１３に対して揺動倒伏させた上端支持部３それぞれを一時的にでも固定保持させ、下端支持部２、上端支持部３それぞれが平面円形状であることと相俟ち、不使用時においては全体をコンパクト化させた状態で維持させる。
支持シャフト１３における適数の長さ調整シャフト３０は、支持シャフト１３自体の長短を適宜に調整させ、天板Ｐ３、上下段の棚板Ｐ１，Ｐ２相互間の高さが異なるとき、それが伸縮機構１１による弾撥作用による高さ調整範囲外であるときに対応させる。
操作ハンドル１６は、スリット部１５に沿って下側へスライド操作されることで、支持筒１２内部のバネ１４の弾撥力に抗して支持シャフト１３を上端支持部３と共に下方へ移動可能にさせる。
ストッパ部１７は、操作ハンドル１６の操作によって支持シャフト１３が拡開傾向のバネ１４に抗して最下端位置まで挿入された際に、操作ハンドル１６を係架させることで支持シャフト１３を固定させる。
上端支持部３上面の凹凸状の嵌合部６あるいは凹部状の回避溝部４１は、棚板Ｐ下面の補強突条部Ｑに嵌合され、上端支持部３が上段位の棚板Ｐ２下面に当接される際の補強突条部Ｑを回避させ、支持安定性を向上させる。
【発明の効果】
【００１４】
本発明によれば、棚高さ調整可能な種々の家具類等の運搬・移動時に、天板Ｐ３、上下段の棚板Ｐ１，Ｐ２相互間に突っ張り状態となして嵌め入れておくことで、棚板Ｐ相互を弾撥的に支持固定して棚板Ｐが外れるのを防止し、家具類等の移動作業を速やかに実施できる。すなわち、運搬・移動時に、棚板ＰをキャビネットＫの引っ掛け具Ｌ上に載せた状態のままで当該棚板Ｐを確実に固定できるから、移動先で棚板Ｐ等を再度セットする必要がなく、また移転先でのキャビネットＫの据付設置後では簡単に取り外すことができ、しかも再使用も可能であるから無駄がない。よって、例えば引越・移転担当業者において使用する場合には手間を大幅に削減でき、しかも作業能率の向上と省資源・省力化に大いに役立たせることができる。
【００１５】
すなわち、これは本発明に係る棚板固定装置が、下段位の棚板Ｐ１上面に下端が突き当てられる支持筒１２と、天板Ｐ３あるいは上段位の棚板Ｐ２下面に上端が突き当てられる支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたからである。これにより、伸縮機構１１は支持筒１２内部のバネ１４の弾撥力によって上端支持部３を上方へ向けて常時付勢させておくことができ、天板Ｐ３、上下段の棚板Ｐ１，Ｐ２相互間での上下両端支持部２，３の弾撥的な突っ張りによる棚板仮止め機能を十分に果たすことができる。
【００１６】
また、下段位の棚板Ｐ１上に載置される下端支持部２と、天板Ｐ３あるいは上段位の棚板Ｐ２下面に当接される上端支持部３とによって、天板Ｐ３、棚板Ｐそれぞれの上下面にしっくりと当接でき、突っ張り支持状態を安定化させるのに極めて有効である。
【００１７】
このように上下両端支持部２，３は天板Ｐ３、上下段の棚板Ｐ１，Ｐ２相互間に突っ張り状に嵌め入れられて棚板Ｐ同士を支持するので、棚板Ｐを外さずにキャビネットＫの運搬・移動が容易となり、キャビネットＫを傾けても棚板Ｐは外れない。また、移転が終了すれば、伸縮機構１１は支持筒１２内部のバネ１４の弾撥力に抗して支持シャフト１３を支持筒１２内部に強制挿入しておけば、天板Ｐ３、上下段の棚板Ｐ１，Ｐ２相互間から容易に取り外すことができ、その後の再使用も容易に行える。
【００１８】
支持筒１２は下端支持部２に、支持シャフト１３は上端支持部３にそれぞれ揺動自在に連結してあるから、例えば不使用時において下端支持部２を支持筒１２に対して、上端支持部３を支持シャフト１３に対して倒伏状になるように例えば全体を真っ直ぐな状態に変形でき、下端支持部２、上端支持部３それぞれが平面円形状であることと相俟ち、全体をコンパクトな纏めた状態とすることができる。
【００１９】
しかも、この揺動連結構造によって、天板Ｐ３、上下段の棚板Ｐ１，Ｐ２相互間に突っ張り状に配置させるとき、また取り外すとき、上端支持部３、支持シャフト１３等を傾斜状にして差し入れたり、抜き出したりでき、また回動自在に連結されていることで、その着脱作業を一層能率的に遂行できる。
【００２０】
また、下端支持部２には、この下端支持部２に支持筒１２を揺動倒伏したときの倒伏状態を保持する支持筒保持手段２８を、上端支持部３には、この上端支持部３に支持シャフト１３を揺動倒伏したときの倒伏状態を保持する支持シャフト保持手段２９をそれぞれ設けてあるから、全体を真っ直ぐな状態に変形したときのコンパクトな状態を維持でき、不使用時における多数の本発明装置を纏めて保管、運搬するとき等でも、これらを容易に取り扱うことができる。
【００２１】
支持シャフト１３は、着脱自在に連結される適数の長さ調整シャフト３０を備えることで、この長さ調整シャフト３０との組合せによって支持シャフト１３、ひいては支持筒１２との合計高さを調整でき、天板Ｐ３、上下段の棚板Ｐ１，Ｐ２相互間の高さが種々に異なる場合でもこれに対応できる。すなわち、伸縮機構１１の弾撥作用によって天板Ｐ３、上下段の棚板Ｐ１，Ｐ２相互間で突っ張り状に配置されるとき、その突っ張り間隔における弾撥作用の範囲外あるいは範囲内で高さが相違する場合等で、長さ調整シャフト３０の追加あるいは除去によって自在に高さを調整できる。
【００２２】
伸縮機構１１は、支持筒１２の基端側に上下方向に沿って穿設されたスリット部１５に、支持シャフト１３の下端側に固設された操作ハンドル１６をスリット部１５に沿って上下動自在に挿通させておき、操作ハンドル１６によって支持シャフト１３の上下動を支持筒１２の表側から自在に操作可能として成るので、操作ハンドル１６をスリット部１５に沿って下側へスライド操作させることで、支持筒１２内部のバネ１４の弾撥力に抗して支持シャフト１３を上端支持部３と共に下方へ容易に移動することができ、縮小によるコンパクトにした状態で保管でき、再使用に備えることができる。
【００２３】
スリット部１５は基端側から略Ｕ字形スリット状に折返し形成したストッパ部１７に連通され、支持筒１２内部にて支持シャフト１３が拡開傾向のバネ１４に抗して最下端位置まで移動された際に、操作ハンドル１６をストッパ部１７側に係架させることで支持シャフト１３を固定可能にしたので、天板Ｐ３、上下段の棚板Ｐ１，Ｐ２相互間への配装が容易となる。また、設置後にはストッパ部１７から操作ハンドル１６を外してスリット部１５側に戻すことで、支持筒１２内部のバネ１４の弾撥力に任せて上端支持部３が上方へ向けて付勢されて上方に延び、天板Ｐ３あるいは上段位の棚板Ｐ２下面に突き当たり、突っ張り状となる。このように天板Ｐ３、上下段の棚板Ｐ１，Ｐ２相互間での上下両端支持部２，３の弾撥的な突っ張り機能を容易に復元・再現することができ、縮小による運搬・移動に際する事前の準備を、棚板Ｐ等が大量にあっても迅速に作業できる。
【００２４】
上端支持部３の上面には、棚板Ｐ下面に設けてある補強突条部Ｑに嵌合可能とした凹凸状の嵌合部６あるいは回避溝部４１を設けて成るので、棚板Ｐ下面に当接された上端支持部３に対し補強突条部Ｑを容易に回避させることができる。しかも、嵌合部６あるいは回避溝部４１への補強突条部Ｑの嵌合係止により上下段の棚板Ｐ１，Ｐ２相互間の装置自体の前後方向の位置ずれ、およびこれによる装置自体の転倒等を確実に防止することができる。
【００２５】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２６】
【図１】本発明の第１の実施の形態における使用状態の一例を示す斜視図である。
【図２】同じく使用状態の縦断面図である。
【図３】ストッパ部を示す側面図である。
【図４】棚支持柱の横長矩形状の係止孔にＬ字片状の引っ掛け具が挿着されている状態の断面図である。
【図５】棚支持柱の円形状の係止孔にピン・ダボ状の引っ掛け具が挿着されている状態の断面図である。
【図６】同じくキャビネット等の移動時における使用状態の斜視図である。
【図７】同じくブックエンド、アクセサリー等としての他の使用状態における正面図である。
【図８】本発明の第２の実施の形態における使用状態の斜視図である。
【図９】同じく一部切欠正面図である。
【図１０】同じく支持筒に対して下端支持部を、支持シャフトに対して上端支持部を揺動倒伏して全体を直線状に変形したときの側面図である。
【図１１】支持筒保持手段あるいは支持シャフト保持手段における一部の拡大図を含む正面図である。
【図１２】上下の棚板相互間で使用されるときの支持筒、支持シャフトの揺動状態を説明する斜視図である。
【図１３】本発明の第３の実施の形態における長さ調整シャフトを備えた支持シャフトの分解正面図である。
【図１４】例えばアルミニウム材等の金属材によって構成した第４の実施の形態における一部切欠正面図である。
【図１５】同じく第５の実施の形態における一部切欠正面図である。
【発明を実施するための形態】
【００２７】
以下、図面を参照して本発明の実施の形態を詳細に説明すると、図において示される符号１は、例えばキャビネットＫにおける天板Ｐ３と最上段の棚板Ｐ２、さらに上下段の棚板Ｐ１，Ｐ２相互間に、好もしくは左右で対状に配装される本発明に係る棚板固定装置を構成する装置本体である。
【００２８】
この装置本体１は、図１乃至図７に示す第１の実施の形態、図８乃至図１２に示す第２の実施の形態、図１３に示す第３の実施の形態、図１４に示す第４の実施の形態、図１５に示す第５の実施の形態それぞれにあるように、下段位の棚板Ｐ１上に載置される下端支持部２と天板Ｐ３あるいは上段位の棚板Ｐ２下面に当接される上端支持部３とを、下端支持部２に立脚固定した支持筒１２に、上端支持部３に垂設固定した支持シャフト１３を挿入した状態で、装置本体１の内部に配装した伸縮機構１１を介して連繋して成る。尚、図示を省略したが、支持筒１２は下端支持部２を下段位の棚板Ｐ１上面に、支持シャフト１３は上端支持部３を介することなく直接に天板Ｐ３あるいは上段位の棚板Ｐ２下面にそれぞれ当接配置することもできる。
【００２９】
（第１の実施の形態）
図１乃至図７に示される第１の実施の形態において、下端支持部２は、補強のために上部が円弧状に湾曲して成る平面長方形状の支持筐体４ａの下部開口側に、ゴム板の如き弾性を有する矩形平板状の支持板５ａが嵌着されて成り、上端支持部３は、補強のために底部が円弧状に湾曲して成る平面長方形状の支持筐体４ｂの上部開口側に、ゴム板の如き弾性を有する矩形平板状の支持板５ｂが嵌着されて成る。また、上端支持部３側の支持板５ｂ上面には長手方向に直交する幅方向に沿って凹凸状の嵌合部６を設け、上段位の棚板Ｐ２下面に長さ方向に沿って設けられている補強突条部Ｑに嵌合可能としている。
【００３０】
尚、例えばキャビネットＫにおける棚板Ｐは、例えばスチール製の薄板材をその四周縁部下面から内側に向けて略Ｌ字状に折り曲げ、且つ屈曲に対する強度を保持するために棚板Ｐ自体の下面にその長手方向に沿って下方に突出した略コ字枠形の補強突条部Ｑが設けられて成る。また、支持板５ｂ上面の嵌合部６の配置・形状等は、棚板Ｐ下面に設けられている補強突条部Ｑの配置・形状に合わせて形成されている。
【００３１】
支持筒１２、支持シャフト１３、伸縮機構１１を備えて構成した装置本体１の天板Ｐ３、上下段における棚板Ｐ１，Ｐ２相互間への嵌め入れ、設置に際し、装置本体１は、内部に配した伸縮機構１１を介して、下端支持部２が下段位の棚板Ｐ１上に載置されるよう支持板５ａが下方に向けて配置され、上端支持部３が天板Ｐ３あるいは上段位の棚板Ｐ２下面に当接されるよう支持板５ｂが上方に向けて配置される。
【００３２】
伸縮機構１１は、下端支持部２の支持筐体４ａ上部中央に設けられている取付筒部７内に中空筒状の支持筒１２の基端側が嵌着され、これに対応して上端支持部３の支持筐体４ｂ下部中央に設けられている取付筒部８内に円柱状の支持シャフト１３の上端側が嵌着されている。そして支持筒１２にはその上部開放端側より、上下スライド自在に支持シャフト１３が挿入されている。そして、支持筒１２内底部と、支持筒１２に挿入された支持シャフト１３先端との間には、拡開傾向のバネ１４が介挿されており、このバネ１４の拡開弾撥力によって支持シャフト１３を支持筒１２の上方側へ向けて突出させるべく拡開傾向に常時付勢しているようにして構成されている。尚、上端支持部３は支持シャフト１３に対して回転自在にして設けることで、後述する操作ハンドル１６によるストッパ部１７内外の出し入れに伴う支持シャフト１３の回転によっても天板Ｐ３あるいは上段位の棚板Ｐ２との上端支持部３の当接状態の位置ずれを回避できる。
【００３３】
この伸縮機構１１による拡開傾向のバネ１４の弾撥力によって、天板Ｐ３、上下段の棚板Ｐ１，Ｐ２相互間を突っ張り状に固定することでこれらの間に嵌め入れられれば良いから、下端支持部２、上端支持部３それぞれが省略されることもある。すなわち、支持筒１２下端が下段位の棚板Ｐ１上面に、支持シャフト１３上端が天板Ｐ３あるいは上段位の棚板Ｐ２下面にそれぞれ直接に当接するようにしても良く、必要があれば支持シャフト１３にはアームを連結することができる（図示せず）。
【００３４】
また、支持筒１２の下方基端側には上下方向に沿ってスリット部１５が穿設され、支持シャフト１３の下端側周面に固設された略Ｌ字状の操作ハンドル１６がスリット部１５に挿通されており、操作ハンドル１６によって支持シャフト１３の上下動を支持筒１２の表側から自在に操作可能としている。
【００３５】
図３に示すように、スリット部１５にはその下方基端側から折返し連通した略Ｕ字形スリット状のストッパ部１７が形成され、支持シャフト１３が拡開傾向のバネ１４に抗して支持筒１２内部の最下端位置まで移動された際に、操作ハンドル１６をストッパ部１７に係架させることで支持シャフト１３を固定可能にしてある。これによって伸縮機構１１の収縮状態が保持されるものとしてあり、支持シャフト１３を収納したコンパクトな状態となしている。
【００３６】
また、操作ハンドル１６をストッパ部１７から外してスリット部１５側に戻せば、バネ１４の拡開弾撥力によって支持シャフト１３が支持筒１２の上方側へ向けて常時付勢されているので、支持シャフト１３は操作ハンドル１６がスリット部１５の上縁部によって係止される位置まで支持シャフト１３は上方に向けて伸長できるようになっている。
【００３７】
図示にあって、支持筒１２、支持シャフト１３は横断面で円形状を呈するパイプ構造としてあるも、これを横断面で矩形状、三角形状その他の多角形状を呈するように構成することもできる。また、伸縮機構１１のバネ１４は平面で円形状を呈するコイルバネとすることなく、支持筒１２等の横断面形状に対応させて平面で例えば矩形状その他を呈するコイルバネとすることもできる。
【００３８】
尚、キャビネットＫその他の家具類内で棚板Ｐを支持する引っ掛け具Ｌの具体的構成としては、例えば図１、図４に示すように、キャビネットＫの左右側壁の内側面に設けられている前後一対の縦長な棚支持柱Ｍに所定間隔毎で配列させた横長矩形状の係止孔Ｎに、例えばＬ字片状の引っ掛け具Ｌの後側上端からＵ字状に折り返された背面フック部Ｌ１が挿入係架されることで棚支持柱Ｍにセットされるものとしてある。そして、棚板Ｐは、この左右両端のＬ字状に折り曲げられた下縁に形成された棚側係止孔Ｌ３に引っ掛け具Ｌ先端のＬ字状係止部Ｌ２が引っ掛けられることで固定状に載せられるようになっている。
【００３９】
また、図５に示すように、棚支持柱Ｍに同様に所定間隔毎で配列された円形状の係止孔Ｎへ例えばピン・ダボ状の引っ掛け具Ｌを装着しておき、棚板Ｐはこれの下面端部に凹設された棚側係止溝Ｌ４を介して引っ掛け具Ｌに係架させるようにしても良い。尚、引っ掛け具Ｌの上記した各構成は、本発明を何等拘束するものではない。
【００４０】
次に、以上のように構成された第１の実施の形態についての使用の一例について説明すると、図６に示すように、装置本体１はキャビネットＫの運搬・移動時において適数段で配置された棚板Ｐそれぞれを仮止めするために、天板Ｐ３、上下段の棚板Ｐ１，Ｐ２相互間に突っ張り状に配置して、好ましくは棚板Ｐの左右で対にして使用する。尚、本発明の棚板固定装置は、キャビネットＫにおける天板Ｐ３と最上段の棚板Ｐ２との間で最初に嵌め入れ固定し、次いで最上段の棚板Ｐ２と２段位の棚板Ｐ１との間に嵌め入れ固定する等、上位段の棚板Ｐ２とその下方の下段位の棚板Ｐ１との間に上部から順次に嵌め入れ固定する等、上方の棚板Ｐ２から下方の棚板Ｐ１を固定するように順次に行われる。
【００４１】
すなわち先ず、キャビネットＫ内の左右内壁面にそれぞれ備えた棚支持柱Ｍの係止孔Ｎに挿入係架した引っ掛け具Ｌに横架されている下段位の棚板Ｐ１上に、下端支持部２の支持板５ａを下方に向けて仮置きしておく。
【００４２】
そして、操作ハンドル１６をストッパ部１７から外すと、支持筒１２内部の伸縮機構１１のバネ１４で支持シャフト１３が上方に延び、上端支持部３の支持板５ｂが天板Ｐ３あるいは上段位の棚板Ｐ２下面に突き当たり、突っ張り状となる。このとき、上端支持部３側の支持板５ｂ上面の嵌合部６は、上段位の棚板Ｐ２下面に設けられている補強突条部Ｑに嵌合すると良い。
【００４３】
こうして天板Ｐ３、上下段の棚板Ｐ１，Ｐ２相互間でのバネ１４による弾撥的な突っ張り作用により棚板Ｐの仮止めが完了する。同様にして他の上下段の棚板Ｐ１，Ｐ２相互間にも配装することで、支持筒１２、支持シャフト１３は上下段の棚板Ｐ１，Ｐ２相互間に突っ張り状に嵌め入れられて棚板Ｐ同士を支持しておく。こうすることで、棚板Ｐを外さずにキャビネットＫの運搬・移動が容易となり、キャビネットＫを傾けても棚板Ｐは外れない。
【００４４】
運搬・移動による移転先では、キャビネットＫを所定場所に据付設置後で、操作ハンドル１６を下方に移動させるよう支持筒１２内部のバネ１４の弾撥力に抗して支持シャフト１３を支持筒１２内部に強制挿入し、操作ハンドル１６をストッパ部１７に係架させておけば、天板Ｐ３、上下段の棚板Ｐ１，Ｐ２相互間から容易に外すことができ、その後の再使用に備えて、コンパクトに保管できる。
【００４５】
尚、装置本体１は、上記したように天板Ｐ３、上下段の棚板Ｐ１，Ｐ２相互間における左右で対にして使用するのが一般的であるが、棚板Ｐ相互を支持できれば１本でも可能であることは勿論であり、任意に選択できる。
【００４６】
また、装置本体１を棚板Ｐの仮止め具として使用するのみならず、図７に示すように、キャビネットＫの書籍・書類Ｈ等を収納する棚板Ｐ上のブックエンド代用品としての使用も可能である。この場合には、装置本体１の下端支持部２および上端支持部３の短手方向の幅をできるだけ小さくし、また書籍・書類Ｈに接触する装置本体１の片側を、必要があれば適当な板材Ｒにて覆うことでブックエンドらしくする。尚、支持筒１２更には支持シャフト１３の外周面を例えば意匠的具像物に形成して棚板Ｐ相互間での装飾性を高めるようにしても良い。さらには、下端支持部２、上端支持部３、支持筒１２、支持シャフト１３の各表面に化粧部を施したり、あるいは例えば発光ダイオード（ＬＥＤ）等の装飾用照明具等を具備させても良い。
【００４７】
また、図示を省略したが、例えば家具等の天板と天井との間で装置本体１の設置後において、必要に応じて支持筒１２の周面に形成されたネジ孔（図示せず）にネジをねじ込み、天板と天井との相互間で突っ張り状態にある装置本体１の伸縮機構１１を固定しておいても良い。このようにすると、支持筒１２の上部開放端側周面のネジ孔にネジをねじ込み支持シャフト１３の周面に圧接支持させ、天板と天井との間隔に対応した上下高さにバネ１４の段発力で調整させることで、支持筒１２に対し当該支持シャフト１３を強固且つ確実に位置決め固定させることができ、例えば家具等の耐震用押え具としての使用が可能となる。
【００４８】
（第２の実施の形態）
図８乃至図１２に示される第２の実施の形態において、下端支持部２と支持筒１２とは揺動自在に、また回動自在に連結され、同様に上端支持部３と支持シャフト１３とも揺動自在に、また回動自在に連結されて成る装置本体１としてある。すなわち、平面で例えば円盤状に形成した下端支持部２、上端支持部３それぞれに球面状内側面を有する連結凹部２１を設け、支持筒１２下端、支持シャフト１３上端それぞれに設けた球面状外側面を有する連結突部２２を連結凹部２１に嵌め合わせると共に、連結凹部２１の開口部内縁を開口端に至るに伴い次第に拡径する傾斜面２１Ａに形成する。
【００４９】
図示にあって、下端支持部２、上端支持部３それぞれの外径は、支持筒１２あるいは支持シャフト１３の外径のほぼ３倍程度としてあるも、これに限定されず、また下端支持部２自体、上端支持部３自体それぞれは円盤状としてあるもこれに限定されず、平面で三角形状、矩形状その他の多角形状であっても差し支えない。いずれにしても、天板Ｐ３、上下段の棚板Ｐ１，Ｐ２相互間で突っ張り状に配置されるとき、支持筒１２、支持シャフト１３が倒立されることなく、それぞれの上下面に対し下端支持部２、上端支持部３によってしっくりと当接支持されれば良いのである。
【００５０】
尚、下端支持部２、上端支持部３それぞれは図示のように、連結凹部２１の開口端における内径に比し大径にした外径となっている連結突部２２によって、連結凹部２１とは抜脱することがない嵌め合わせとするため、連結凹部２１が設けられた下端支持部２本体の底部における開口部分、上端支持部３本体の頂部における開口部分それぞれは、支持筒１２、支持シャフト１３それぞれの連結突部２２を嵌め入れた後に、好ましくは滑り止め処理が施された閉塞板２３を例えばネジ止め、接着等によって固定することで閉塞されるようにしてある。もとより、連結凹部２１と連結突部２２との嵌め合い構造につき連結突部２２を連結凹部２１内に強制的に嵌め入れることで抜脱されなければ、閉塞板２３による閉塞構成は要しない。
【００５１】
連結突部２２は、支持筒１２、支持シャフト１３それぞれの端部において、図示のように例えば球面状外側面を有する球体物を、例えばこの球状物に形成したメネジ孔に支持筒１２、支持シャフト１３端に設けたオネジ棒部分をネジ止めすることで連結されている。このような球体物による球対偶構造は下端支持部２に対する支持筒１２の、上端支持部３に対する支持シャフト１３の揺動自在性を、連結凹部２１における前記傾斜面２１Ａと相俟ち良好にしている（図１２参照）。
【００５２】
また、下端支持部２、上端支持部３それぞれにおける連結凹部２１は、下端支持部２、上端支持部３それぞれの側部に形成したＵ字状の揺動倒伏溝２４によって外部に開放されており、下端支持部２、上端支持部３に対して支持筒１２、支持シャフト１３が倒伏状に揺動されたとき、この揺動倒伏溝２４内に収納され、全体が直線状に変形されるようにしてある（図１０参照）。
【００５３】
このように揺動倒伏溝２４内に支持筒１２、支持シャフト１３それぞれが倒伏収納されたとき、この収納状態を維持する支持筒保持手段２８、支持シャフト保持手段２９それぞれが揺動倒伏溝２４に形成されている。この支持筒保持手段２８、支持シャフト保持手段２９は、図１１に示すように、揺動倒伏溝２４における相対向する内側壁面に、倒伏揺動された支持筒１２、支持シャフト１３の外周円弧状面における最大幅員位置のやや上方に位置させて、内方側に僅かに突出形成された、やや円弧曲面状の山形状部分として形成されている。下端支持部２、上端支持部３更には支持筒１２、支持シャフト１３それぞれを形成している合成樹脂材自体の適度な硬度性によって、支持筒１２、支持シャフト１３を支持筒保持手段２８、支持シャフト保持手段２９それぞれの山形状部分を強制的に乗り越えるように揺動倒伏溝２４内で揺動操作することで、倒伏時の保持あるいは保持状態から解放できるようにしている。
【００５４】
尚、この第２の実施の形態において、伸縮機構１１のバネ１４は、支持筒１２に対して支持シャフト１３を突出傾向に弾撥させるようにして支持シャフト１３を支持筒１２内にスライド自在に収納させるものとしてある。そして例えば下端支持部２によつて下段位の棚板Ｐ１の上面に当接配置した状態で、支持シャフト１３を強制的にでも支持筒１２内に押し込むことで全体を縮小でき、その解放で上端支持部３を介して上段位の棚板Ｐ２の下面に圧接できるから、第１の実施の形態におけるように操作ハンドル１６は不要であるとし、バネ１４は外観されることなく支持筒１２内に隠蔽されている。
【００５５】
図９に示すように、支持筒１２自体は、バネ１４を内蔵させている所定径の筒体状の支持筒１２本体と、この支持筒１２本体の下端を閉塞させて支持筒１２本体に固定した閉塞盤２７と、支持筒１２本体の上端で支持シャフト１３をスライドさせるよう、支持筒１２本体の開口部に設けた筒状のスライド支持部２５とから成り、閉塞盤２７が、前記連結突部２２を固定している。また支持シャフト１３は、スライド支持部２５の内側面に案内されて摺接しながらスライドすると共に、支持筒１２の内周面に摺接して、支持筒１２に内蔵させたバネ１４の上端に当接するスライド盤２６によって、支持筒１２内ではがたつくことなくスライドされるようにしてある。
【００５６】
（第３の実施の形態）
図１３においては第３の実施の形態が示されており、着脱自在に連結される適数の長さ調整シャフト３０を支持シャフト１３が備えて成ることで構成してある。すなわち、図示のように例えば支持シャフト１３を適当長さ毎に分割するか、支持シャフト１３本体と前記球状物との間に所定長さの調整シャフト３０を適当数で介装するかしてある。図示のように調整シャフト３０自体それぞれは端面の一方にメネジ孔を、他方にメネジ孔にねじ込み可能なオネジ棒を有するのであり、例えば支持シャフト１３本体側に設けたオネジ棒に、球状物側に設けたメネジ孔にそれぞれねじ込まれることで、支持シャフト１３全体の長さを長短自在に調整できるようにしてある。
【００５７】
（第４の実施の形態）
図１４においては第４の実施の形態が示されており、第１乃至第３の実施の形態におけるのと同一の構成は同一の符号で示すことでその詳細な説明は省略する。この第４の実施の形態では、下端支持部２、上端支持部３、支持筒１２、支持シャフト１３を例えばアルミニウム材、ステンレス材等の金属材によって構成したものである。また、この第４の実施の形態にあっては、支持筒１２に対して摺動自在にして組み合わせる支持シャフト１３は、支持筒１２の開口部において支持シャフト１３自体ががたつくことなく円滑にスライドするように、支持筒１２の開口部の内周面に、支持シャフト１３の外径に対応した内径を備えた例えば合成樹脂製の筒状のスライドガイド３５を嵌め合わせ固着してある。
【００５８】
この第４の実施の形態において、第２及び第３の実施の形態において構成された下端支持部２、上端支持部３それぞれにおける揺動倒伏溝２４は、必要があれば形成される。
【００５９】
（第５の実施の形態）
図１５においては第５の実施の形態が示されており、第１乃至第４の実施の形態におけるのと同一の構成は同一の符号で示すことでその詳細な説明は省略する。この第５の実施の形態では、上端支持部３に、天板Ｐ３、上段位の棚板Ｐ２の底面に形成されている補強突条部Ｑを回避する凹状の回避溝部４１を中央に設けて成るのであり、例えば所定肉厚の矩形状の金属材製の板状材によって中央部を溝状に折曲し、両端を平坦面状に形成すると共に、回避溝部４１の外底面に固着した例えばナット材４２に支持シャフト１３の上端をネジ止めして成る。もとより、この上端支持部３は合成樹脂材にて形成することも可能であるのは勿論である。
【００６０】
このように回避溝部４１を形成することで、天板Ｐ３、上下段の棚板Ｐ１，Ｐ２の底面における補強突条部Ｑを跨いだ状態で上端支持部３を天板Ｐ３、上下段の棚板Ｐ１，Ｐ２の底面に当接でき、その当接安定性を増大させて、天板Ｐ３、上下段の棚板Ｐ１，Ｐ２相互間で本発明装置を突っ張り状に配置できる。
【００６１】
これらの第２乃至第５の実施の形態においての使用例は、図８に示すように第１の実施の形態における棚板固定装置と同様に使用する。例えば天板Ｐ３、上下段の棚板Ｐ１，Ｐ２相互間の高さに比しやや高くなる長さになるよう、支持筒１２、支持シャフト１３による全体長さを、必要に応じ長さ調整シャフト３０の追加あるいは取り外しによって対応させておく。例えば移動・運搬時のキャビネットＫにおける固定されていない棚板Ｐを仮止め固定するには、これの天板Ｐ３の直下の上段位の棚板Ｐ２から順次に下段位の棚板Ｐ１を支持固定するよう、棚板Ｐの上下段相互間に嵌め入れ配置する作業とすることに変わりはない。
【００６２】
すなわち、下端支持部２、上端支持部３それぞれとの連結部分の揺動自在性を利用しながら下端支持部２を下段位の棚板Ｐ１面上に当接配置し、また伸縮機構１１による弾撥作用に抗して支持シャフト１３を支持筒１２内に押し込むようにして上端支持部３を天板Ｐ３あるいは上段位の棚板Ｐ２の底面下方に位置させる。次いで、支持シャフト１３に対する支持筒１２内への押し込み力を解放し、内蔵させてある伸縮機構１１によるバネ１４の弾撥作用で上端支持部３を天板Ｐ３あるいは棚板Ｐ２の底面に突き当て、天板Ｐ３、上下段の棚板Ｐ１，Ｐ２相互間で突っ張り状とすることによって、棚板Ｐ１，Ｐ２それぞれを支持固定すれば良い。
【００６３】
移動、運搬後等で取り外すには、支持シャフト１３を支持筒１２内に押し込み、上端支持部３を天板Ｐ３あるいは上段位の棚板Ｐ２から離反させ、天板Ｐ３、上下段の棚板Ｐ１，Ｐ２相互間から抜き出せば良い。その後の例えば不使用時では、支持筒１２に対しては下端支持部２を、支持シャフト１３に対しては上端支持部３をそれぞれ揺動させて全体を直線状に変形させ、支持筒保持手段２８、支持シャフト保持手段２９によって直線状の変形形態を保持させることでコンパクトに纏めておけば良い。
【００６４】
尚、いずれの実施の形態においても、上下に反転させて、すなわち下端支持部２、支持筒１２側を上部に、上端支持部３、支持シャフト１３側を下部に位置させて使用しても良い。また、支持筒１２を支持シャフト１３に押し込ませるようにしても良く、天板Ｐ３あるいは上段位の棚板Ｐ２の下面に支持筒１２側あるいは支持シャフト１３側を押し当て、支持シャフト１３側あるいは支持筒１２側を下段位の棚板Ｐ１の上面に突き当てるようにしても良い。
【００６５】
図示を省略したが、キャビネットＫ内部において固定された棚板Ｐがある場合には、この固定された棚板Ｐを基準位置として下方位である下段位の棚板Ｐ１を同様にして順次に固定しても良いのは勿論である。
【符号の説明】
【００６６】
Ｐ…棚板                                Ｐ１…下段位の棚板
Ｐ２…上段位の棚板                      Ｐ３…天板
Ｑ…補強突条部                          Ｒ…板材
Ｋ…キャビネット                        Ｌ…引っ掛け具
Ｌ１…背面フック部                      Ｌ２…Ｌ字状係止部
Ｌ３…棚側係止孔                        Ｌ４…棚側係止溝
Ｎ…係止孔                              Ｍ…棚支持柱
Ｈ…書籍・書類
１…装置本体                            ２…下端支持部
３…上端支持部                          ４ａ，４ｂ…支持筐体
５ａ，５ｂ…支持板                      ６…嵌合部
７，８…取付筒部
１１…伸縮機構                          １２…支持筒
１３…支持シャフト                      １４…バネ
１５…スリット部                        １６…操作ハンドル
１７…ストッパ部
２１…連結凹部                          ２１Ａ…傾斜面
２２…連結突部                          ２３…閉塞板
２４…揺動倒伏溝                        ２５…スライド支持筒
２６…スライド盤                        ２７…閉塞盤
２８…支持筒保持手段                    ２９…支持シャフト保持手段
３０…長さ調整シャフト                  ３５…スライドガイド
４１…回避溝部                          ４２…ナット材
【図１】
2015139513.tif 000003
【図２】
2015139513.tif 000004
【図３】
2015139513.tif 000005
【図４】
2015139513.tif 000006
【図５】
2015139513.tif 000007
【図６】
2015139513.tif 000008
【図７】
2015139513.tif 000009
【図８】
2015139513.tif 000010
【図９】
2015139513.tif 000011
【図１０】
2015139513.tif 000012
【図１１】
2015139513.tif 000013
【図１２】
2015139513.tif 000014
【図１３】
2015139513.tif 000015
【図１４】
2015139513.tif 000016
【図１５】
2015139513.tif 000017